(57)【要約】      （修正有）【課題】高強度でありながら薄厚で高い透視性を兼ね備えた工事用シートと、これを容易に製造可能な製造方法を提供する。【解決手段】工事用シート１は、経糸１１及び緯糸１２を共有する複数の面状部１０と、隣り合う面状部間１０において経糸１１又は緯糸１２の目を飛ばして構成した線状の透過部２０と、透過部２０の両側の経糸１１又は緯糸１２の長手方向に沿って延在する線状の補強部３０と、を備え、補強部３０が、透過部２０の両側の経糸１１又は緯糸１２とこれに直交する緯糸１２又は経糸１１を一体に固着する。工事用シートの製造方法は、構造繊維からなる複数の経糸１１及び緯糸１２の少なくとも一方の間に、溶融繊維からなる溶融経糸又は溶融緯糸を所定間隔で配列し、織編してシート体を織編する織編工程と、シート体を熱処理する熱処理工程と、を備え、熱処理工程における熱処理温度が、構造繊維の融点より低くかつ溶融繊維の融点より高くする。【選択図】図１
2020007771.tif 000002
【特許請求の範囲】
【請求項１】
経糸及び緯糸を織編してなる工事用シートであって、
経糸及び緯糸を共有する複数の面状部と、
隣り合う前記面状部間において経糸又は緯糸の目を飛ばして構成した線状の透過部と、
前記透過部の両側の経糸又は緯糸の長手方向に沿って延在する線状の補強部と、を備え、
前記補強部が、前記透過部の両側の経糸又は緯糸とこれに直交する緯糸又は経糸を一体に固着していることを特徴とする、
工事用シート。
【請求項２】
前記透過部を一定の間隔で設けたことを特徴とする、請求項１に記載の工事用シート。
【請求項３】
前記透過部を格子状に設けることで、前記透過部の交差部に透過孔を形成したことを特徴とする、請求項１又は２に記載の工事用シート。
【請求項４】
経糸及び緯糸の少なくとも一方が、無色透明、有色透明、又は有色半透明な素材からなることを特徴とする、請求項１乃至３の何れか一項に記載の工事用シート。
【請求項５】
隣り合う前記透過部の中心線間のピッチが１ｃｍの整数倍であることを特徴とする、請求項１乃至４の何れか一項に記載の工事用シート。
【請求項６】
構造繊維からなる複数の経糸及び緯糸の少なくとも一方の間に、溶融繊維からなる溶融経糸又は溶融緯糸を所定間隔で配列し、織編してシート体を織編する織編工程と、
前記シート体を熱処理する熱処理工程と、を備え、
前記熱処理工程における熱処理温度が、前記構造繊維の融点より低くかつ前記溶融繊維の融点より高いことを特徴とする、
工事用シートの製造方法。
【請求項７】
前記溶融経糸及び前記溶融緯糸を、格子状に配列したことを特徴とする、請求項６に記載の工事用シートの製造方法。
【発明の詳細な説明】
【技術分野】
【０００１】
本発明は工事用シート及びその製造方法に関し、高強度でありながら薄厚で高い透視性を兼ね備えた工事用シートと、これを容易に製造可能な工事用シートの製造方法に関する。
【背景技術】
【０００２】
近年、高度経済成長期に建設されたトンネル、高架車道、橋梁等のコンクリート構造物が老朽化を迎え、劣化した構造物からのコンクリート剥落による被害の予防策が求められている。
コンクリート剥落防止工法として、コンクリート面に剥落防止シートを接着するシート接着工法やアンカーで固定するアンカー固定工法等が開発されている。
特許文献１には、コンクリート構造物の表面に接着剤を塗布した後に、繊維基材と耐候性フィルムの２層構造からなる剥落防止シートを貼付するコンクリート剥落防止工法が開示されている。
特許文献２には、コンクリート構造物の表面に接着剤を塗布した後に、糸の交差部を溶融して目ズレを防止した開口部面積が３０以上８０％未満の剥落防止シートを貼付するコンクリート剥落防止工法が開示されている。
【先行技術文献】
【特許文献】
【０００３】
【特許文献１】特許第６２０３４４１号公報
【特許文献２】特開２０１０−５３４８７号公報
【発明の概要】
【発明が解決しようとする課題】
【０００４】
従来技術には、次のような課題がある。
＜１＞日常点検において、コンクリート面をシートで被覆した状態でコンクリートの剥離やその予兆となるクラックの発生を発見するには、シートが背面のコンクリートを目視できる透視性を備える必要がある。糸径を細くしたり密度を粗にすれば透視性を高めることができる反面、シートの強度は低下するため、コンクリートの剥落を防止する強度を確保できないおそれがある。すなわち強度と透明性が相反して、両立させることできない。
＜２＞シートをコンクリート面に接着して上塗りする作業では、シートとコンクリート面の間のエア抜きが重要である。しかしシートの密度が高いとエアが抜けにくく作業性が低下する。シートの密度を下げればエア抜きは容易になる反面、シートの強度が低下する。すなわち強度と施工性が相反して、両立させることできない。
＜３＞シートはしなやかで曲げが容易な反面、コシがないため取り扱いにくい。
＜４＞刷毛による上塗り時に経糸と横糸の糸ずれが生じやすい。これを防ぐためには熟練した技術が必要であり作業難度が高い。
＜５＞現場でシートを直線状に裁断するのが難しく、シートの裁断部から糸がほつれやすい。
＜６＞シート同士のラップ部では、ラップ長を測定するのに天井にメジャー等を当てなければならないため、作業が煩雑で作業員への負担が大きい。
【課題を解決するための手段】
【０００５】
以上の課題を解決する本発明の工事用シートは、経糸と緯糸を共有する複数の面状部と、面状部間の経糸又は緯糸の目を飛ばして構成した線状の透過部と、透過部両側の経糸又は緯糸に沿って延在する線状の補強部と、を備え、補強部によって、透過部両側の経糸又は緯糸をこれに直交する緯糸又は経糸に一体に固着したことを特徴とする。
この構成によれば、高強度でありながら薄厚で高い透視性を兼ね備えた工事用シートを提供することができる。
【０００６】
本発明の工事用シートは、透過部を一定の間隔で設けてもよい。
この構成によれば、透過部を切断位置の目安にすることができる。
【０００７】
本発明の工事用シートは、透過部を格子状に設けて交差部に透過孔を形成してもよい。
この構成によれば透過部と補強部を格子状に構成することにより、強度と透視性を高めることができる。また、透過孔によってエア抜きがより容易になる。
【０００８】
本発明の工事用シートは、経糸及び緯糸の少なくとも一方が無色透明、有色透明、又は有色半透明であってもよい。
この構成によれば、透過部による構造上の透視性及び面状部の薄さによる透視性に、糸の素材の透視性を組み合わせることで、より優れた透視性を発揮することができる。
【０００９】
本発明の工事用シートは、透過部間のピッチが１ｃｍの整数倍であってもよい。
この構成によれば、メジャー等を必要とせずに容易にシートの切断長を計ることができる。
【００１０】
本発明の工事用シートの製造方法は、構造繊維からなる経糸と緯糸の少なくとも一方の間に溶融繊維からなる溶融経糸又は溶融緯糸を織り込んでシート体を織編する織編工程と、シート体を熱処理する熱処理工程と、を備え、熱処理温度が構造繊維の融点より低く溶融繊維の融点より高いことを特徴とする。
この構成によれば、高強度でありながら薄厚で高い透視性を兼ね備えた工事用シートを容易に製造することができる。
【００１１】
本発明の工事用シートの製造方法は、溶融経糸と溶融緯糸を格子状に配列してもよい。
この構成によれば透過部と補強部を格子状に構成することにより、強度と透視性を高めることができる。
【発明の効果】
【００１２】
本発明の工事用シート及びその製造方法は、以上の構成より、次の効果のうち少なくとも一つを備える。
＜１＞補強部によって格子状に補強されているため、線径が細く薄厚でありながら高強度を発揮できる。また空隙を有する透過部と薄厚の面状部を通して背面のコンクリートを明確に透視できるため、コンクリートの点検が容易で維持管理性に優れる（図４）。このように、従来相反していた強度と透明性を両立することができる。
＜２＞エア抜き機能を有する透過部を有しながら、その両側を補強部で補強しているため、強度を損なうことなく高いエア透過性能を発揮できる。またエア溜まりがなくなるためコンクリートとの接着性を高めることができる。
＜３＞補強部によって適度なコシが付与されるため、取り扱いが容易で作業性が高い。
＜４＞補強部によって縦糸と横糸の交点を固定しているため、糸ずれが生じにくい。このため上塗り作業が容易で作業性が高い。
＜５＞溶融・再硬化した補強部が糸の表面を被覆することで裁断時のほつれを防止することができる。また、透過部の格子枠を目安にシートを直線状にカットできるため、現場でのカットが容易である。
＜６＞透過部間のピッチを１ｃｍ単位等に合わせておくことで、メジャー等を用いずにシートのラップ長を計ることができる。このため、作業が容易で作業員への負担が少ない。
＜７＞薄厚で接着材の塗布量が少量で済むため、施工コストを削減することができる。
【図面の簡単な説明】
【００１３】
【図１】本発明に係る工事用シートの説明図。
【図２】本発明に係る工事用シートの製造方法の説明図。
【図３】本発明に係る工事用シートの写真。
【図４】本発明に係る工事用シートをコンクリート面に接着した状態を表す写真。
【発明を実施するための形態】
【００１４】
以下、図面を参照しながら本発明の工事用シート及びその製造方法について詳細に説明する。
なお説明の便宜上、図１の補強部３０と、図２の溶融経糸１１ａ及び溶融緯糸１２ａを灰色で表示しているが、実際には無色透明、有色透明、又は有色半透明である。
【実施例１】
【００１５】
[工事用シート]
＜１＞全体の構成（図１、３）。
本発明の工事用シート１は、高強度、高い透視性、高い作業性等の従来相反していた複数の機能を同時に発揮可能なシート材である。
工事用シート１は、全体として経糸と緯糸を織編してなり、部分的に経糸又は緯糸の目を飛ばすことで、線状の透過部２０が構成され、複数の透過部２０とその両側に形成される複数の補強部３０によって、複数の面状部１０に区画される。
本例では、透過部２０及び補強部３０を一定間隔の格子状に形成することで、略正方形の面状部１０を升目状に配列する。但しこれに限らず、透過部２０及び補強部３０を縦横の一方向にのみ配列してもよい。
また本例では、工事用シート１の透視性を確保するため、経糸及び緯糸として無色透明な糸を採用する。無色透明の他、有色透明又は有色半透明であってもよい。
経糸及び緯糸の具体的な素材については製造方法の項で説明する。
【００１６】
＜２＞面状部。
面状部１０は、コンクリート面の支持機能を有する部分である。
面状部１０は、経糸１１及び緯糸１２の平織りによって構成される。
複数の面状部１０は、経糸１１と緯糸１２を相互に共有する。
本発明の工事用シート１は、補強部３０の補強により比較的細径でありながら高強度を発揮できるため、面状部１０を薄厚に構成することができる。
よって、全体の強度を損なうことなく面状部１０背面のコンクリートを透視することができる。
【００１７】
＜３＞透過部。
透過部２０は、工事用シート１背面の透視機能と接着時のエア抜き機能を併有する部分である。    
透過部２０は、平編みの経糸１１又は緯糸１２を一定の間隔で溶融させて目を飛ばすことで形成する。
本例では透過部２０を縦横に形成して格子状に配列する。
透過部２０は、交差する縦横の透過部２０の交差部に形成される透過孔２１と、並列する複数の経糸１１又は緯糸１２の間に空隙を有する梯子状の透過帯２２と、を備える。
本発明の工事用シート１は、透過孔２１及び透過帯２２の隙間を通して、工事用シート１の背面を透視することができる。
【００１８】
＜４＞補強部。
補強部３０は、工事用シート１の補強機能とほつれ防止機能を併有する部分である。
補強部３０は、透過部２０両側の経糸１１又は緯糸１２の長手方向に沿って延在する。すなわち一本の透過部２０に対して二本の補強部３０が形成される。
経方向の補強部３０は、面状部１０縁部の経糸１１を線状に被覆して補強するとともに、経糸１１に直交する複数の緯糸１２を経糸１１と一体に固着する。
緯方向の補強部３０は、面状部１０縁部の緯糸１２を線状に被覆して補強するとともに、緯糸１２に直交する複数の経糸１１を緯糸１２と一体に固着する。
補強部３０で工事用シート１を格子状に補強することで、工事用シート１に適度なコシを生むことができる。
また、補強部３０で経糸１１と緯糸１２を一体に固着することで、糸ずれを防ぎ工事用シート１の構造上の強度を高めるとともに、工事用シート１のほつれを防止することができる。  
【００１９】
＜５＞背面透視機能。
図４を参照する。図４は工事用シート１をコンクリート面に接着した状態である。
本発明の工事用シート１は、薄厚の面状部１０と透過部２０を介して、シート背面のコンクリートの剥落やクラック等を透視して視認することができる。
よって、施工後のコンクリートの点検が容易で維持管理性に優れる。
【００２０】
[製造方法]        
引き続き本発明の工事用シートの製造方法について以下に詳述する。
＜１＞全体の構成。
本発明の工事用シート１の製造方法は、少なくとも、シート体１’を織編する織編工程と、シート体１’を熱処理する熱処理工程と、を備える。
【００２１】
＜２＞経糸及び緯糸の素材。
経糸及び緯糸の素材には、構造繊維Ｓ製の経糸１１及び緯糸１２と、溶融繊維Ｍ製の溶融経糸１１ａ及び溶融緯糸１２ａの少なくとも二種類を使用する。
構造繊維Ｓは、熱処理後も溶融せず、工事用シート１の面状部１０と透過部２０を構成する素材である。
溶融繊維Ｍは、熱処理によって溶融してから再硬化し、補強部３０を構成する素材である。
本例では、構造繊維Ｓとしてポリエステル繊維を、溶融繊維Ｍとしてポリプロピレン繊維を採用する。
但しこれに限らず、例えば構造繊維Ｓはビニロン繊維等であってもよく、溶融繊維Ｍはポリエチレン繊維等であってもよい。要は後述する融点の関係と、所望の強度及び透視性を満たしさえすればよい。
【００２２】
＜３＞織編工程。
経糸１１と緯糸１２を平織りしてシート体１’を織成する。
この際、経糸１１の間に所定間隔で溶融経糸１１ａを配列し、緯糸１２の間に所定間隔で溶融緯糸１２ａを配列して、両者を織り込む。
すると、溶融経糸１１ａ及び溶融緯糸１２ａによる格子体の間に、構造繊維Ｓ製の面状部１０が画成されたシート体１’が織編される（図２）。
シート体１’の密度は、経糸１１及び緯糸１２の糸径との関係において、シート体１’背面の構造物に対する透視性と所定の強度を両立できる範囲で設定する。
また、シート体１’の格子ピッチ、すなわち隣り合う溶融経糸１１ａ及び隣り合う溶融緯糸１２ａの中心線間のピッチを１ｃｍの整数倍とすると、格子が目盛りの役目を果たし、メジャー等を使わなくても所望の幅で直線状にカットすることができる。
【００２３】
＜４＞熱処理工程。
シート体１’を熱処理して溶融経糸１１ａ及び溶融緯糸１２ａを溶融させる。
本工程における熱処理温度ＴＭは、構造繊維Ｓの融点である第一温度Ｔ１、及び溶融繊維Ｍの融点である第二温度Ｔ２に対し以下の関係を満たす温度とする。
[式１]  Ｔ１＞ＴＭ＞Ｔ２
なお、温度管理及び品質管理の便宜上、第一温度Ｔ１と第二温度Ｔ２は２０℃以上の温度差があることが望ましい。
熱処理によって溶融した溶融経糸１１ａ及び溶融緯糸１２ａは、両側の経糸１１及び緯糸１２に融着し、その間に格子状の透過部２０が形成される。
また、透過部２０の交差部には透過孔２１が形成される。
【００２４】
＜５＞補強部の形成。
熱処理を終えてシート体１’が冷却されると、経糸１１及び緯糸１２に融着した溶融繊維Ｍが硬化してプラスチック化することで、透過部２０の両側に経糸１１及び緯糸１２を線状に被覆する補強部３０が形成される。
以上によって、工事用シート１が完成する（図１、３）。
【実施例２】
【００２５】
[不透明糸を用いた実施例]
実施例１では、無色透明、有色透明、又は有色半透明の糸を用いて構造繊維を織編したが、これに限らない。
本例では、経糸１１及び緯糸１２に不透明なアラミド繊維を採用し、溶融繊維Ｍ製の溶融経糸１１ａ及び溶融緯糸１２ａにポリプロピレン繊維を採用する。
本例の工事用シート１は、実施例１に比べて透視性が若干低下するものの、透過部２０による透視機能、エア抜き機能、その他実施例１に係る各機能を確保しつつ、高強度のアラミド繊維によってシート全体の強度を格段に高めることができる。
【実施例３】
【００２６】
[他の用途に係る実施例]
本発明の工事用シートの用途はコンクリート剥落防止工法に限られない。例えば、橋脚の巻き立て補強工法等のシート補強工法にも至適である。
この場合、構造繊維Ｓにはアラミド繊維等の高強度繊維を用いる。
本発明の工事用シート１における、補強部３０による高強度、コシがあることによる高い作業性、薄厚であることによる接着剤の減量、透過部２０によるエア抜き効果、裁断作業の容易化、等の各種効果はいずれもシート補強工法にも適合する。
この他、前述の作用の少なくとも一つが適合すれば、本発明の工事用シート１は他の工事用途にも適用可能である。
【符号の説明】
【００２７】
１      工事用シート
１’    シート体
１０    面状部
１１    経糸
１１ａ  溶融経糸
１２    緯糸
１２ａ  溶融緯糸
２０    透過部
２１    透過孔
２２    透過帯
３０    補強部
Ｓ      構造繊維
Ｍ      溶融繊維
Ｔ１    第一温度
Ｔ２    第二温度
ＴＭ    熱処理温度
【図１】
2020007771.tif 000003
【図２】
2020007771.tif 000004
【図３】
2020007771.tif 000005
【図４】
2020007771.tif 000006
【手続補正書】
【提出日】平成30年10月11日(2018.10.11)
【手続補正１】
【補正対象書類名】特許請求の範囲
【補正対象項目名】全文
【補正方法】変更
【補正の内容】
【特許請求の範囲】
【請求項１】
経糸及び緯糸を織編してなる工事用シートであって、
経糸及び緯糸を共有する複数の面状部と、
隣り合う前記面状部間において経糸又は緯糸の目を飛ばして構成した線状の透過部と、
前記透過部の両側の経糸又は緯糸の長手方向に沿って延在する線状の補強部と、を備え、
前記補強部が、前記透過部の両側の経糸又は緯糸とこれに直交する緯糸又は経糸を一体に固着していることを特徴とする、
工事用シート。
【請求項２】
前記透過部を一定の間隔で設けたことを特徴とする、請求項１に記載の工事用シート。
【請求項３】
前記透過部を格子状に設けることで、前記透過部の交差部に透過孔を形成したことを特徴とする、請求項１又は２に記載の工事用シート。
【請求項４】
経糸及び緯糸の少なくとも一方が、無色透明、有色透明、又は有色半透明な素材からなることを特徴とする、請求項１乃至３の何れか一項に記載の工事用シート。
【請求項５】
隣り合う前記透過部の中心線間のピッチが１ｃｍの整数倍であることを特徴とする、請求項１乃至４の何れか一項に記載の工事用シート。